(57)【要約】【課題】遊技盤面上に弾性部材である弾性膜を設けるとともに、その弾性膜の弾性変形を利用することによって、弾性膜の裏面側から何かが飛び出してくるような遊技演出を可能とし、高い興趣を発揮することのできる遊技演出ユニット、遊技機及び遊技演出方法を提供すること。【解決手段】この遊技演出ユニット３４は、遊技媒体２０の流下による遊技を実現する遊技装置体６に取り付けられ、その動作に基づいて遊技演出を行う遊技演出ユニット３４であって、遊技装置体の表面側に配置された弾性膜３６と、弾性膜の裏面側に配置され、弾性膜を弾性変形させない退避位置と、弾性膜を付勢して弾性変形させる付勢位置とに移動可能な動作演出部４０，４２，４４とを有する【選択図】図５
2008228857.tif 000002
【特許請求の範囲】
【請求項１】
遊技媒体の流下による遊技を実現する遊技装置体に取り付けられ、その動作に基づいて遊技演出を行う遊技演出ユニットであって、
該遊技装置体の表面側に配置された弾性膜と、
該弾性膜の裏面側に配置され、該弾性膜を弾性変形させない退避位置と、該弾性膜を付勢して弾性変形させる付勢位置とに移動可能な動作演出部と、を有する遊技演出ユニット。
【請求項２】
前記弾性膜が、
前記退避位置における前記動作演出部を該弾性膜の表面側から該弾性膜を通して不可視とするとともに、前記付勢位置における前記動作演出部の前記弾性膜と接触する部分を該弾性膜の表面側から該弾性膜を通して視認可能とする請求項１に記載の遊技演出ユニット。
【請求項３】
前記付勢位置において前記動作演出部が前記弾性膜と接触する部分に、該弾性膜の表面側から視認可能とされた情報表示部が設けられている請求項２に記載の遊技演出ユニット。
【請求項４】
前記弾性膜が、前記付勢位置において前記動作演出部が該弾性膜と接触する部分の形状に沿って弾性変形可能である請求項１から請求項３のうちいずれか1項に記載の遊技演出ユニット。
【請求項５】
前記動作演出部が前記弾性膜を付勢する場所が、変更可能とされている請求項１から請求項４のうちいずれか１項に記載の遊技演出ユニット。
【請求項６】
遊技機の周囲を囲む筐体枠と、
前記遊技媒体の流下による遊技を実現する遊技装置体と、
該遊技装置体の表面に取り付けられた請求項１から請求項５のうちいずれか１項に記載の遊技演出ユニットと、
該遊技装置体を保持し、前記筐体枠に対して前面開閉可能に揺動支持された機枠と、
前記遊技装置体に対して一定距離以上離間して配置された前面透明板と、
該遊技装置体の周囲を囲んで装飾する装飾部材を保持し、前記機枠に対して前面開閉可能に揺動支持された装飾枠と、
前記遊技媒体を前記遊技装置体の上部に向けて発射する発射ユニットと、を有する遊技機。
【発明の詳細な説明】
【技術分野】
【０００１】
本発明は、遊技演出ユニット、遊技機及び遊技演出方法に係り、特に弾性膜の弾性変形を利用した遊技演出によって興趣向上を図ることのできる遊技演出ユニット、遊技機、遊技演出方法に関する。
【背景技術】
【０００２】
パチンコ機等の遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このように、パチンコ機による遊技はそのほとんどが遊技盤面上で行われるようになっている。したがって、遊技機の興趣性向上や安定した遊技継続のためには、遊技盤面の構成が非常に重要であり、その構成には従来より様々な工夫がなされてきた。例えば、遊技盤面上に弾性部材を配置したり、遊技盤面上に配置される部材の一部を弾性部材で形成したりしたものがある。
【０００４】
特許文献１に記載のものは、ゲージや羽根車の他に弾性部材を遊技盤面上に配置している。弾性部材に衝突した球は、ゲージや羽根車に衝突した場合とは異なる動きをすることを利用して球の動きに更なる変化を与えて興趣向上を図っているのである。
【０００５】
また、特許文献２に記載のものは遊技盤面上に配置される変動入賞装置や図柄表示装置等の役物の一部を弾性部材で形成している。
【０００６】
変動入賞装置は、例えば遊技演出用のキャラクター人形等の役物と複数種類の入賞口とを有し、変動入賞装置内に流入した球が、キャラクター人形等の動作に影響されていずれの種類の入賞口に入賞するかを楽しめるように構成されているものである。球が入賞した入賞口の種類に応じて、払い出される景品球数が異なったり、異なる種類の別遊技が開始されたりする。
【０００７】
また、図柄表示装置は、その表示画面に表示された図柄等が変動し特定の表示態様となったときに、遊技者に多量の景品球を獲得させるいわゆる「当り」を構成するためのものである。遊技機にこの図柄変動装置が配されることにより、遊技盤面の入賞口に球が入賞して所定個数の景品球払出しがされる場合のみならず、図柄変動の結果によっても多量の景品球が払い出されるので、遊技者の興趣が一層向上するようになっている。
【０００８】
これらの役物は遊技盤の表面に突出している部分を有している場合が多い。そして、遊技盤面上を流下する多数の球がその突出部分に衝突することとなる。そこで、特許文献２に記載のものは、遊技盤の表面に突出した役物の一部を弾性部材で形成することで、球の衝突の衝撃を緩和して、役物の破損を防止している。
【０００９】
【特許文献１】特開２００４−３１３５２１号公報
【特許文献２】特開２００６−６４４０号公報
【発明の開示】
【発明が解決しようとする課題】
【００１０】
しかし、特許文献１に記載のものは、遊技盤面に配置された弾性部材に衝突した球が跳ね返る方向や程度が、ゲージや羽根車に衝突した場合とは異なる（例えば、ほとんど跳ね返らない。）ことを利用し、球の動きに変化を与えたにすぎない。遊技中は、多数の球が遊技盤面上を流下するので、遊技者は球の動きをひとつひとつ確認しながら遊技を行うことは少なく、したがって、流下する球の動きの変化による興趣向上の効果はあまり高いとはいえない。
【００１１】
また、特許文献２に記載のものは、球の衝突による衝撃緩和のために弾性部材を用いており、遊技盤面に弾性部材を設けることが新たな興趣に結びついてはいない。
【００１２】
本発明は上記の事情に鑑みて為されたもので、遊技盤面上に弾性部材である弾性膜を設けるとともに、その弾性膜の弾性変形を利用することによって、弾性膜の裏面側から何かが飛び出してくるような遊技演出を可能とし、高い興趣を発揮することのできる遊技演出ユニット、遊技機及び遊技演出方法を提供することを例示的課題とする。
【課題を解決するための手段】
【００１３】
上記の課題を解決するために、本発明の例示的側面としての遊技演出ユニットは、遊技媒体の流下による遊技を実現する遊技装置体に取り付けられ、その動作に基づいて遊技演出を行う遊技演出ユニットであって、遊技装置体の表面側に配置された弾性膜と、弾性膜の裏面側に配置され、弾性膜を弾性変形させない退避位置と、弾性膜を付勢して弾性変形させる付勢位置とに移動可能な動作演出部とを有する。
【００１４】
弾性膜の裏面側に、その弾性膜を付勢して弾性変形させる動作演出部を有しているので、弾性膜の弾性変形を利用した遊技演出を行うことができる。動作演出部が退避位置にあるときは、弾性膜は弾性変形しておらず、動作演出部が付勢位置に移動すると、弾性膜は表面側に突出するように弾性変形する。したがって、遊技者に対し、裏面側から突然何かが飛び出してくるかのような感覚を与える遊技演出とすることができ、高い興趣を発揮することができる。
【００１５】
なお、本願においては、遊技機から遊技者に向かう方向が「前方」であり、前方を向く面が「前面」・「表面」である。逆に遊技者から遊技機に向かう方向が「後方」であり、後方を向く面が「後面」・「裏面」である。また、遊技者から見て左方向が「左」・「左側」であり、遊技者から見て右側が「右」・「右側」である。
【００１６】
その弾性膜が、退避位置における動作演出部を不透明弾性膜の表面側から弾性膜を通して不可視とするとともに、付勢位置における動作演出部の弾性膜と接触する部分を弾性膜の表面側から弾性膜を通して視認可能とするものであってもよい。
【００１７】
動作演出部が退避位置では不可視とされ、付勢位置では視認可能とされているので、動作演出部を適宜移動させることで、その動作演出部を遊技者から隠したり、見せたりすることができる。したがって、動作演出部を不可視としたり、視認可能としたりして、動作演出部の動きだけでなく、その視認性も合わせて、遊技状況に合わせた、興趣性の高い遊技演出を行うことができる。
【００１８】
付勢位置において動作演出部が弾性膜と接触する部分に、弾性膜の表面側から視認可能とされた情報表示部が設けられていてもよい。
【００１９】
動作演出部に、弾性膜の表面側から視認可能とされた情報表示部が設けられているので、動作演出部が付勢位置にあるときにその形状だけでなく情報表示部に表示された情報を遊技者に認識させることができる。例えば、遊技盤面上を流下する球が、遊技盤面上に配置された入賞口に入賞したときに、動作演出部が付勢位置に移動し、情報表示部に表示された「やったね！」等の文字が視認可能となるようにすれば、遊技者の興趣は一層高まることとなる。
【００２０】
弾性膜が、付勢位置において動作演出部が弾性膜と接触する部分の形状に沿って弾性変形可能であってもよい。
【００２１】
弾性膜が動作演出部の形状に沿って弾性変形可能であるので、弾性膜の裏面側に配置された動作演出部の形状を遊技者に認識させることができる。動作演出部の形状が尖ったものであれば、尖ったなりの形状で、凹みを有する形状のものであれば凹みを有するなりの形状で弾性膜を突出させることができる。したがって、遊技演出ユニットごとにその遊技演出の目的に応じて様々な形状で弾性膜を突出させることができる。
【００２２】
動作演出部が明弾性膜を付勢する場所が、変更可能とされていてもよい。動作演出部が弾性膜を付勢する場所が変更可能とされているので、弾性膜が表面側に突出する場所を変更することができる。動作演出部が退避位置にあるときには、弾性膜は弾性変形していないため、動作演出部が付勢位置に移動するまで弾性膜のどの場所が突出するか遊技者にはわからない。したがって、遊技者が弾性膜の突出する場所を予測することは難しく、その突出による遊技演出は遊技者にとって意外性があって非常に興趣性の高い遊技演出となる。
【００２３】
本発明の他の例示的側面としての遊技機は、遊技機の周囲を囲む筐体枠と、遊技媒体の流下による遊技を実現する遊技装置体と、遊技装置体の表面に取り付けられた上記遊技演出ユニットと、遊技装置体を保持し、筐体枠に対して前面開閉可能に揺動支持された機枠と、遊技装置体に対して一定距離以上離間して配置された前面透明板と、遊技装置体の周囲を囲んで装飾する装飾部材を保持し、機枠に対して前面開閉可能に揺動支持された装飾枠と、遊技媒体を遊技装置体の上部に向けて発射する発射ユニットとを有する。
【００２４】
この遊技機は、弾性膜とそれを付勢する動作演出部とを備える遊技演出ユニットを有するので、弾性膜の弾性変形を利用した遊技演出を行うことができる。弾性膜が裏面側から付勢されるので、不透明弾性膜が表面側に突出するように弾性変形する。したがって、遊技者に対し、裏面側から突然何かが飛び出してくるかのような感覚を与える遊技演出とすることができ、高い興趣を発揮することができる。
【００２５】
本発明の更なる目的又はその他の特徴は、以下添付図面を参照して説明される好ましい実施の形態によって明らかにされるであろう。
【発明の効果】
【００２６】
本発明によれば、遊技装置体の表面に固着された弾性膜の弾性変形を利用することによって、弾性膜の裏面側から突然何かが飛び出してくるような遊技演出を可能とし、高い興趣を発揮することができる。
【００２７】
また、弾性膜の裏面に動作演出部を配置し、それを視認可能としたり、不可視としたりすることで、遊技状況に合わせた効果的な遊技演出を行うことができる。
【発明を実施するための最良の形態】
【００２８】
［実施の形態１］
以下、本発明の実施の形態１について図面を用いて説明する。図１は、本発明の実施の形態１に係る遊技機としてのパチンコ機２の外観を示す外観斜視図である。パチンコ機２は、筐体枠４、遊技盤（遊技装置体）６、機枠８、前面ガラス（前面透明板）１０、装飾枠１２、発射装置（図示せず。）、上皿（球皿）１４、発射ハンドル４６を有している。遊技盤６は、さらに遊技演出ユニットとしての中央装置３４を有している。
【００２９】
パチンコ機２は、組合せ式パチンコ機、封入循環式パチンコ機等を含む。また、遊技機としてはパチンコ機の他に、ゲーム機、アーケードマシン等が概念できる。
【００３０】
筐体枠４は、このパチンコ機２を囲むための枠体であり、平面視略長方形に構成されている。材料としては、木材が用いられることが多いが、他に樹脂やアルミ等の金属が用いられることもある。筐体枠４は、パチンコ機２の上下面及び左右側面を囲い、前面（すなわち、遊技者側。）から見て左側面側には機枠８及び装飾枠１２を揺動支持するためのヒンジ部（揺動支持部）２２が設けられている。
【００３１】
遊技盤６は、このパチンコ機２において、遊技媒体としての球２０の流下による遊技を実現するためのものであり、その表面の遊技盤面６ａ上には遊技領域６ｂが形成されている。遊技盤面６ａには、略円形状に周囲を囲むようにレール飾り２４が取り付けられ、遊技領域６ｂは、このレール飾り２４の内側に形成された内側面２４ａによって囲まれている。
【００３２】
その遊技領域６ｂ内には多数のゲージ（障害釘、図示せず。）、普通入賞口２６、始動入賞口２８、大入賞口３０、アウト口３２、その他の各種役物が配置されている。また、遊技領域６ｂの略中央に中央装置３４が配置されている。なお、ゲージは遊技領域６ｂを流下する球２０の流下方向を変化させるためのものであるが詳細は省略する。
【００３３】
普通入賞口２６は、遊技領域６ｂの複数箇所に形成された入賞口であり、球２０が普通入賞口２６に入賞した際に所定個数の球２０が景品として払い出されるようになっている。
【００３４】
始動入賞口２８は、遊技領域６ｂの中央下方部に形成されている。本実施の形態１においては、始動入賞口２８のさらに下方に大入賞口３０が形成されている。大入賞口３０のすぐ下方には、アウト口３２が形成されている。
【００３５】
始動入賞口２８は、遊技領域６ｂの中央部下方に形成された入賞口である。球２０が始動入賞口２８に入賞すると、図示しない遊技制御基板によって「当り」抽選が行われるようになっている。また、始動入賞口２８に球２０が入賞した際にも所定個数の球２０が景品として払い出される。
【００３６】
大入賞口３０は、球２０を受け入れやすい（入賞しやすい。）開状態と、球２０を受け入れにくい（入賞しにくい。）閉状態とに可変とされている。大入賞口３０の開閉制御は、始動入賞口２８に球２０が入賞した際に行われる「当り」抽選の結果に基づいて行われる。例えば「当り」が抽選されると、中央装置３４の画像表示部３５に表示された３桁の数字が特定の態様「７・７・７」となり、その後に大入賞口３０が開状態とされ球２０を受け入れやすくなるように構成されている。大入賞口３０に球２０が入賞した際にも所定個数の球２０が景品として払い出されるようになっている。
【００３７】
アウト口３２は、遊技領域６ｂの中央最下端近傍に形成された開口であり、遊技領域６ｂの最下端まで流下した球２０、すなわちいずれの入賞口２６，２８，３０にも入賞しなかった球２０を流入させるためのものである。アウト口３２に流入した球２０は、パチンコ機２の外部に排出されるようになっている。
【００３８】
後述する発射装置により球２０が遊技領域６ｂ内の上部に向けて発射されると、球２０がゲージに衝突してその流下方向を変えつつ遊技領域６ｂ内を流下するようになっている。その流下の途中で、あるものは普通入賞口２６に入賞して球の払出しの契機となり、あるものは始動入賞口２８に入賞して「当り」抽選の契機となり、また、あるものはいずれの入賞口２６，２８，３０にも入賞せずにアウト口３２からパチンコ機２の外部へと排出される。
【００３９】
中央装置３４は「当り」抽選時に、その抽選の結果を遊技者に報知するための様々な演出を行うためのものである。中央装置３４は、遊技盤６に取り付けられており、外枠３４ａ、画像表示部３５、弾性膜３６、可動部材３８、を有して構成されている（図２（ａ）も参照。）。
【００４０】
外枠３４ａは、中央装置３４の周囲を囲むように形成され、画像表示部３５、弾性膜３６を保持するためのものである。また、中央装置３４を遊技盤面６ａに取り付ける際にビス固定するための取付基板としての機能も有する。
【００４１】
画像表示部３５は、外枠３４ａに保持されて、中央装置３４の略下側半分を占めるように設けられた装置である。画像表示部３５は、変動用の図柄やその背景図柄を含めた画像を表示する機能を有している。本実施の形態１では、画像表示部３５は液晶表示装置で構成され、この画像表示部３５には変動用の図柄である３桁の数字が表示される。
【００４２】
画像表示部３５は、「当り」抽選の結果を遊技者に報知する機能を有する。始動入賞口２８に球２０が入賞し、「当り」抽選が行われると、画像表示部３５に表示された３桁の数字が変動を開始し、所定時間経過後に停止表示される。抽選の結果が「当り」であれば停止表示を特定の態様（本実施の形態１では、「７・７・７」。）とし、「当り」でなければ（つまり、「外れ」。）停止表示を特定の態様以外のものとして、遊技者に抽選の結果を報知する。
【００４３】
弾性膜３６は、中央装置３４の略上側半分を占めるように複数（本実施の形態１では３箇所）設けられた不透明性の弾性部材である。弾性膜３６は、周縁部３６ａで外枠３４ａに固着され、中央装置３４が遊技盤面６ａに取り付けられた状態で、遊技盤６の表面側に配置されている。弾性膜３６は常態では遊技盤面６ａと略同一の平面を形成しているが、弾性膜３６は伸縮性があるため、その表面又は裏面を付勢すれば、裏面側に凹ませたり表面側に突出させたりすることができる。また、弾性膜３６は、その伸縮性により、自身を付勢するもの（例えば、後に詳説する可動部材３８。）の形状に沿って弾性変形可能である。
【００４４】
弾性膜３６は半透明性の弾性材料、例えばゴムで構成されており、その厚みＸが増せば増すほど光を透過しにくくなって不透明となり、裏面側が表面側から視認しにくくなる。本実施の形態１では、弾性膜３６の厚みＸは、弾性膜３６の裏面側に配置された部材等をその表面側から視認できないような厚みとなっている。したがって、弾性膜３６の裏面側に配置された可動部材３８は表面側から弾性膜３６を通して不可視となっている。
【００４５】
可動部材（動作演出部）３８は、弾性膜３６の裏面側に配置された部材であって、左可動部材（動作演出部）４０、中可動部材（動作演出部）４２、右可動部材（動作演出部）４４を有して構成されている。
【００４６】
左可動部材４０は、図３に示すように略円柱形の形状を呈しており、その円形面４０ａを表面側に向けるように、弾性膜３６の裏面側かつ中央装置３４の左側に偏った位置に配置されている。円形面４０ａには円形凹部４０ｂが形成されており、その円形凹部４０ｂ内が情報表示部とされている。円形凹部には、「当り」抽選の結果が「当り」となったことを示すために「当り」の文字が表示されている。
【００４７】
左可動部材４０は前後方向に移動可能とされており、後方に位置する場合（図２（ａ）参照。）には、円形面４０ａは弾性膜３６を弾性変形させず、この位置が退避位置となる。逆に前方に位置する場合には、図２（ｂ）に示すように円形面４０ａが弾性膜３６に接触し、弾性膜３６を裏面側から付勢して弾性変形させる。そして、この前方に移動して、弾性膜３６を弾性変形させる位置が付勢位置となる。
【００４８】
左可動部材４０が付勢位置に移動すると、弾性膜３６は左可動部材４０ａに付勢されて円形面４０ａ及び円形凹部４０ｂに沿って弾性変形し、表面側に突出する。弾性膜３６は、弾性変形したことにより、突出した部分の厚みＹが弾性変形前の厚みＸよりも薄くなる。弾性膜３６の厚みが薄くなることにより、その裏面側が視認可能となり、弾性膜３６に接触している部分である円形面４０ａ、そこに形成された円形凹部４０ｂ及び「当り」の文字が表面側から視認可能となる。左可動部材４０は、付勢位置に移動した際の弾性膜３６の突出形状（いわゆる、「○」。）と「当り」の文字表示によって遊技者に対して「当り」抽選の結果が「当り」であることを報知する機能を有する。
【００４９】
中可動部材４２は、略三角柱の形状を呈しており、その三角面４２ａを表面側に向けるように、弾性膜３６の裏面側かつ中央装置３４の略中央に配置されている。三角面４２ａには、左可動部材４０と同様に三角凹部４２ｂが形成されており、その三角凹部４２ｂ内が情報表示部とされている。三角凹部には、「当り」抽選の結果が不明であることを示す「？」の文字が表示されている。
【００５０】
中可動部材４２は、左可動部材４０と同様に退避位置と付勢位置とに前後方向に移動可能とされている。そして、付勢位置にあるときは、左可動部材４０の円形凹部４０ｂと同様の作用により三角凹部４２ｂ及び「？」の文字が弾性膜３６の表面側から視認可能となる。中可動部材４２は、付勢位置に移動した際の弾性膜３６の突出形状（いわゆる、「△」。）と「？」の文字表示によって、「当り」抽選の結果を報知するのが一旦保留されたことを示す機能を有する。
【００５１】
右可動部材（動作演出部）４４は、「×」の字形状の平面（以下、×字面４４ａという。）が後方に伸びた形状を呈している。右可動部材４４は、×字面４４ａを表面側に向けるように、弾性膜３６の裏面側かつ中央装置３４の右側に偏った位置に配置されている。右可動部材４４の×字面４４ａは、情報表示部としての機能も有し、「当り」抽選の結果が「外れ」であったことを示す「残念」の文字が表示されている。
【００５２】
右可動部材４４は、左可動部材４０と同様に退避位置と付勢位置とに前後方向に移動可能とされている。そして、付勢位置にあるときは、左可動部材４０の円形凹部４０ｂと同様の作用により×字面４４ａ及び「残念」の文字が弾性膜３６の表面側から視認可能となる。右可動部材４０は、付勢位置に移動した際の弾性膜３６の突出形状（いわゆる、「×」。）と「残念」の文字表示によって遊技者に対して「当り」抽選の結果が「外れ」であることを報知する機能を有する。なお、可動部材３８を前後に動作させる機構は、種々の公知技術により実現可能であるので、その詳細な説明は省略する。
【００５３】
可動部材３８として、左可動部材４０、中可動部材４２、右可動部材４４の３つの部材が弾性膜３６の裏面側に配置されているので、付勢位置に移動する可動部材を変更することで、弾性膜３６を付勢する場所を変更することができる。
【００５４】
可動部材３８が上述のように付勢位置に移動すると、それまで平面であった弾性膜３６が弾性変形し、急に表面側（つまり、遊技者側。）に突出するので、弾性膜３６の裏側から何かが突然飛び出してくるかのような遊技演出とすることができ、高い興趣を発揮することができる。なお、可動部材３８は円柱や三角柱といった単純な形状に限られず、人間の顔やこぶし、又は車や電車といった乗り物のような複雑な形状で形成されていてもよい。パチンコ機のコンセプト等に合わせて可動部材３８の形状を様々に変更することで、より大きなインパクトを遊技者に与えることができる。
【００５５】
また、弾性膜３６の厚みの変化を利用して、情報表示部を不可視としたり、視認可能としたりしているが、その方法はこれに限られず、例えば、可動部材３８を透明樹脂等で形成し、弾性膜３６に接触させた状態で、可動部材３８の後方から光を照射するものであってもよい。
【００５６】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されてヒンジ部２２において筐体枠４に揺動支持され、筐体枠４に対して前面開閉可能とされている。
【００５７】
機枠８は、樹脂又は金属によって形成され、その後面側には裏機構盤（図示せず。）が配置される。その裏機構盤には、入賞球を計数して排出処理する入賞球処理装置（図示せず。）、景品としての球を計数して払い出す景品球払出装置（図示せず。）等が配置されている。
【００５８】
発射装置は、機枠８に取り付けられている。発射装置は、球供給装置によって送り出されて球発射位置に停止保持される球２０を遊技盤６（遊技領域６ｂ）の上部に向けて発射するためのものである。発射装置は、例えば球発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成されている。
【００５９】
前面ガラス１０は、遊技盤６に対して一定距離離間して配置された透明板である。前面ガラス１０は透明平板ガラスで形成され、遊技盤６との間に球２０が流下する流下スペースを形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００６０】
前面透明板としてはガラス素材の前面ガラス１０の他に、もちろん透明アクリル等の樹脂材料が使用されてもよい。また、本実施の形態１においては、前面ガラス１０が装飾枠１２に保持されるが、前面ガラス１０が遊技盤６の前面に取り付けられて、遊技盤６とともに機枠８に保持されるように構成されていてもよい。
【００６１】
装飾枠１２は、筐体枠４に対して前面開閉可能に揺動支持された枠体である。本実施の形態１においては、装飾枠１２はヒンジ部２２において機枠８とともに揺動支持されている。
【００６２】
上皿１４は、球２０を発射装置に導くべく貯留するためのもので、下皿１５とともに遊技者の持ち球を貯留する機能を有する。上皿１４は、パチンコ機２の前面であって遊技盤６の下方、すなわち装飾枠１２の下方部分に配置され、下皿１５は、その上皿１４のさらに下方に配置されている。本実施の形態１においては、上皿１４と下皿１５とを別々に構成しているが、もちろん上皿１４と下皿１５とが一体となって１つの球皿が構成されていてもよい。
【００６３】
上皿１４は、景品球としてパチンコ機２から払い出された球２０を受け取る機能や、その球２０を球供給装置（いわゆる整流器、図示せず。）を介して発射装置に導くべく貯留する機能を有している。また、遊技者が遊技を終了する場合に、球排出ボタン１４ｂによって下皿１５へと球２０を排出することができるようになっている。
【００６４】
発射ユニットは、球供給装置によって上皿１４から発射位置に送り出された球２０を遊技領域６ｂの上部に向けて発射（弾球）するためのものである。発射ユニットは、例えば発射位置の球２０を弾球する発射杆、その発射杆を駆動する発射モータ、発射杆を付勢して弾球のための力を発生させる発射バネ等を有してユニット構成され、機枠８に取り付けられている。その発射ユニットによる球発射のため、遊技者の操作に基づいて球発射のオンオフ及びその発射強度調整を実現する発射ハンドル４６がパチンコ機２の前面下方に設けられているが、詳細は省略する。
【００６５】
次に図４のフローチャートを用いて、このパチンコ機２が弾性膜３６及び可動部材３８を用いて「当り」抽選の結果を報知する手順について説明する。
【００６６】
図５（ａ）に示すように、弾性膜３６は、通常時においては遊技盤面６ａと略同一の平面を形成している。遊技者が発射ハンドル４６を操作して球２０を発射し（Ｓ．１）、その球２０が始動入賞口２８に入賞すると（Ｓ．２）、「当り」抽選が行われる。可動部材３８を用いずに「当り」抽選の結果を報知する場合には、画像表示部３５に表示された図柄の変動が開始され、所定時間経過後にその図柄が停止表示されるのであるがその手順は省略する。
【００６７】
可動部材３８を用いて「当り」抽選の結果を報知する場合には、画像表示部３５に表示された図柄が一旦「−・−・−」となって（図５（ｂ）参照。）、遊技者が弾性膜３６に注目できるようにする。
【００６８】
そして、「当り」抽選の結果を報知するのを一旦保留する場合には（Ｓ．３）、中可動部材４２が付勢位置に移動され、弾性膜３６が弾性変形される（Ｓ．４）。その結果、遊技者に三角面４２ａの形状が視認可能とされるとともに、三角凹部４２ｂに表示された「？」の文字が視認可能とされる。
【００６９】
その後で、中可動部材４２が退避位置に移動される（Ｓ．５）。「当り」抽選の結果が「当り」であれば（Ｓ．６）、左可動部材４０が付勢位置に移動されて弾性膜３６が付勢される場所が変更され、弾性変形される（図６（ａ）参照。）（Ｓ．７）。そして、画像表示部３５に特定の態様「７・７・７」が表示される（Ｓ．８）。
【００７０】
「当り」抽選の結果が「外れ」であれば（Ｓ．６）、右可動部材４４が付勢位置に移動されて弾性膜３６が弾性変形され（図６（ｂ）参照。）（Ｓ．９）、その後、画像表示部３５に特定の態様以外の表示（例えば、「１・３・５」。）がなされる（Ｓ．１０）。したがって、中可動部材４２が付勢位置に移動され、弾性膜３６が三角形状で突出された場合には、次の弾性膜の突出に対する遊技者の期待感がより一層高いものとなり、非常に高い興趣を発揮することができる。
【００７１】
「当り」抽選の結果を保留することなく遊技者に報知する場合には（Ｓ．４）、「当り」抽選の結果が「当り」であれば左可動部材４０が付勢位置に移動されて弾性膜３６が弾性変形され（Ｓ．７）、その後、画像表示部３５に特定の態様「７・７・７」が表示される（Ｓ．８）。「当り」抽選の結果が「外れ」であれば右可動部材４４が付勢位置に移動されて弾性膜３６が弾性変形され（Ｓ．９）、その後、画像表示部３５に特定の態様以外の表示（例えば、「１・３・５」。）がなされる（Ｓ．１０）。
【００７２】
また、本実施の形態１では遊技演出ユニットを、画像表示部を有する中央装置として説明したが、これに限られず、振分装置としてのセンター役物や、装飾枠等の枠部材に弾性膜及び可動部材を設けて遊技演出ユニットとして構成しても構わない。遊技中に注目されることの少ない枠部材に配置された弾性膜が突然突出すれば、遊技者に驚きと新たな興趣を与えることができる。また、遊技盤面に直接弾性膜を配置するように構成してもよく、例えば遊技領域に弾性膜を配置すれば、その突出によって、遊技領域を流下する球の流下方向を変化させることもできる。
【００７３】
［実施の形態２］
以下、本発明の実施の形態２について図面を用いて説明する。図７（ａ）は、本発明の実施の形態２に係る遊技演出ユニットとしての中央装置１３４の前面部分を拡大して示す部分拡大斜視図である。
【００７４】
中央装置１３４は、外枠１３４ａ、画像表示部１３５、弾性膜１３６、図示しない可動部材（動作演出部）（左可動部材（図示せず。），中可動部材（図示せず。），右可動部材（図示せず。））を有して大略構成されている。
【００７５】
ここで、外枠１３４ａ、画像表示部１３５、可動部材の機能・構成は本発明の実施の形態１で説明したものと略同様であるので詳細な説明は省略する。
【００７６】
弾性膜１３６は、それ１枚で中央装置１３４の上側略半分を占めるように配置され、その周縁部１３６ａで外枠１３４ａに固着されている。弾性膜１３６の裏面側には複数の可動部材（本実施の形態２では、左可動部材，中可動部材，右可動部材の３個。）が配置され、それぞれが退避位置と付勢位置とに移動可能である。
【００７７】
図７（ａ），（ｂ）、図８（ａ）（ｂ）に示すように、いずれの可動部材が付勢位置に移動するかによって、弾性膜１３６を付勢する場所、つまり弾性膜１３６の突出する場所を変更することができ、遊技者はいずれの場所が突出するのか弾性膜が突出してみるまでわからず、より一層高い期待感を持つこととなる。したがって、弾性膜１３６を大きく形成すればするほど遊技者に与える期待感、インパクトも大きくなることとなる。
【００７８】
以上、本発明の好ましい実施の形態を説明したが、本発明はこれらに限定されるものではなく、その要旨の範囲内で様々な変形や変更が可能である。
【図面の簡単な説明】
【００７９】
【図１】本発明の実施の形態に係るパチンコ機の外観斜視図である。
【図２】図１に示すパチンコ機における中央装置部分を上部から見た断面図であって（ａ）可動部材が退避位置にある状態を示す図、（ｂ）可動部材のうち左可動部材が付勢位置にある状態を示す図である。
【図３】図１に示すパチンコ機における中央装置が有する可動部材の外観斜視図である。
【図４】図１に示すパチンコ機が可動部材を用いて「当り」抽選の結果を報知する手順を示すフローチャートである。
【図５】図１に示すパチンコ機における中央装置の前面部分の部分拡大斜視図であって、（ａ）全ての可動部材が退避位置にある状態を示す図、（ｂ）中可動部材が付勢位置にある状態を示す図である。
【図６】図１に示すパチンコ機における中央装置の前面部分の部分拡大斜視図であって、（ａ）左可動部材が付勢位置にある状態を示す図、（ｂ）右可動部材が付勢位置にある状態を示す図である。
【図７】本発明の実施の形態２における中央装置の前面部分を示す部分拡大斜視図であって、（ａ）全ての可動部材が退避位置にある状態を示す図、（ｂ）中可動部材が付勢位置にある状態を示す図である。
【図８】図７に示す中央装置の前面部分を示す部分拡大斜視図であって、（ａ）左可動部材が付勢位置にある状態を示す図、（ｂ）右可動部材が付勢位置にある状態を示す図である。
【符号の説明】
【００８０】
Ｘ，Ｙ：厚み
２：パチンコ機（遊技機）
４：筐体枠
６：遊技盤（遊技装置体）
６ａ：遊技盤面
６ｂ：遊技領域
８：機枠
１０：前面ガラス（前面透明板）
１２：装飾枠
１４：上皿（球皿）
１４ｂ：球排出ボタン
１５：下皿
２０：球（遊技媒体）
２２：ヒンジ部（揺動支持部）
２４：レール飾り
２４ａ：内側面
２６：普通入賞口
２８：始動入賞口
３０：大入賞口
３２：アウト口
３４：中央装置（遊技演出ユニット）
３４ａ：外枠
３５：画像表示部
３６：弾性膜
３６ａ：周縁部
３８：可動部材（動作演出部）
４０：左可動部材（動作演出部）
４０ａ：円形面
４０ｂ：円形凹部（情報表示部）
４２：中可動部材（動作演出部）
４２ａ：三角面
４２ｂ：三角凹部（情報表示部）
４４：右可動部材（動作演出部
４４ａ：×字面（情報表示部）
４６：発射ハンドル
１３４：中央装置（遊技演出ユニット）
１３４ａ：外枠
１３５：画像表示部
１３６：弾性膜
１３６ａ：周縁部
【図１】
2008228857.tif 000003
【図２】
2008228857.tif 000004
【図３】
2008228857.tif 000005
【図４】
2008228857.tif 000006
【図５】
2008228857.tif 000007
【図６】
2008228857.tif 000008
【図７】
2008228857.tif 000009
【図８】
2008228857.tif 000010